(57)【要約】      （修正有）【課題】コンテナの底面の損傷や前記コンテナスケートの破損による問題点を解決し、スケートの作動高さを大きくし、故障を減らし、メンテナンスを簡便にする。【解決手段】上部突出部が形成され、突出カム３１５が装着されるハウジング３１と、取っ手パイプ３１２が挿入され、回転カム３１４が装着される作動部３３と、突出カムに沿って移動する昇降ローラー３２１と、コンテナカーの下面に沿う移動ローラー３２２とを含むフレーム３２５と、回転カムとフレームを連結するリンクから構成される昇降部とで構成された通常のコンテナカーのコンテナ移動用スケートにおいて、回転カムの上部の中央には、回転軸３１６が具備され、その後方に取っ手パイプ３１２が挿入される挿入ホール３１３が形成され、突出カムの平面部には前記昇降ローラーが安着される安着溝部３１９が形成され、フレームはローラーが固定される両側の単一壁板３２６で構成される。【選択図】    図３
2004168219.tif 000002
【特許請求の範囲】
【請求項１】
前方が上部に突出されその上面が解放されており、前面は垂直板３１１ａと、前記垂直板３１１ａの上端で後方に折曲された水平板３１１ｂとを有する上部突出部３１１が形成され、上板内部には傾斜部３１５ａと平面部３１５ｂとを有する多数の突出カム３１５が装着されるハウジング３１と、前記上部突出部３１１の内部には取っ手パイプ３１２が挿入され、回転が可能な回転カム３１４が装着される作動部３３と、突出カム３１５に沿って移動する多数の昇降ローラー３２１と、コンテナカー１の底板１１を構成する陥没溝１２の下面に沿って移動する多数の移動ローラー３２２とを含むフレーム３２５と、前記回転カム３１４とフレーム３２５とを各々のヒンジ３２４によって連結するリンク３２３から構成される昇降部３２とで構成された通常のコンテナカーのコンテナ移動用スケートにおいて、
前記回転カム３１４の上部の中央には、回転カム３１４を回転させる回転軸３１６が具備され、その後方に取っ手パイプ３１２が挿入される挿入ホール３１３が形成され、
前記突出カム３１５の平面部３１５ｂには前記昇降ローラー３２１が安着される安着溝部３１９が形成され、
前記フレーム３２５は多数の移動ローラー３２２と昇降ローラー３２１が固定される両側の単一壁板３２６で構成されることを特徴とするコンテナカーのコンテナ移動用スケート。
【請求項２】
前記回転カム３１４の回転軸３１６と上面との距離Ｌ１は、回転軸３１６と挿入ホール３１３までの距離Ｌ２より相対的に小さいことを特徴とする特許請求の範囲第１項に記載のコンテナカーのコンテナ移動用スケート。
【請求項３】
前記ハウジング３１の前方の両側の角には水平方向に回転する回転ローラー３１７が各々装着されることを特徴とする特許請求の範囲第１項に記載のコンテナカーのコンテナ移動用スケート。
【請求項４】
前記上部突出部３１１の水平板３１１ｂの内部の端部には前記回転カム３１４の回転軸３１６を中心とする円弧面３１８を有したことを特徴とする特許請求の範囲第１項に記載のコンテナカーのコンテナ移動用スケート。
【請求項５】
前記回転カム３１４の前方の上側には、前記上部突出部３１１の水平板３１１ｂの下面と密着され、水平板３１１ｂの端部に形成された円弧面３１８に隣接する水平面と垂直面とで構成された直角溝３１４ａが形成されており、
前記回転カム３１４の前方には前記上部突出部３１１の水平板３１５ｂの内側と密着される密着面３１４ｂを形成したことを特徴とする特許請求の範囲第１項叉は第４項に記載のコンテナカーのコンテナ移動用スケート。
【発明の詳細な説明】
【０００１】
【発明の属する技術分野及び従来の技術】
本発明はコンテナカーのコンテナ移動用スケートに関するもので、作動による前記スケートの作動高を大きくし、故障を減らし、メンテナンスを容易にしたコンテナカーのコンテナ移動用スケートに関するものである。
【０００２】
一般的に、コンテナカーは、コンテナを積載して移送する車両を総称するもので、このようなコンテナの荷役作業は、通常クレーンやフォークリフトによって成されている。
【０００３】
しかし、コンテナを積載する底板にコンテナを正確に位置させ固定する作業は危険性と多大なる労苦の必要な作業であり、特にフォークリフトで積載する場合、正確な位置に積載するのはたいへん難しい。
【０００４】
従って、このようなコンテナの底板には多数の陥没溝が長さ方向に形成されており、前記陥没に沿って移動するコンテナ移動用スケートを用いてコンテナを移動させるようにしている。
【０００５】
図４は、このようなコンテナ移動用スケートの使用状態図を示した図面で、コンテナカー１にコンテナ２を積載する場合、コンテナカーの底板１１に形成された陥没溝１２にコンテナ移動用スケート３を位置させ、フォークリフトやその他の手段で前記コンテナカー１の底板１１にコンテナ２を載せておき、前記コンテナ移動用スケート３を利用して長さ方向にコンテナ２を移動させて正確な位置に位置するようにすることによって成される。
【０００６】
図５ａと５ｂは、従来のコンテナ移動用スケートの原理を示した断面図で、前方が上部に突出されその上面が解放されており、前面は垂直板３１１ａと、前記垂直板３１１ａの上端で後方に折曲された水平板３１１ｂとを有する上部突出部３１１が形成され、上板内部には多数の突出カム３１５が装着されるハウジング３１と、前記上部突出部３１１の内部には取っ手パイプ３１２が挿入される挿入ホール３１３が形成され、回転が可能な回転カムが装着される作動部３３と、突出カム３１５に沿って移動する多数の昇降ローラー３２１と、コンテナカー１の底板１１を構成する陥没溝１２の下面に沿って移動する多数の移動ローラー３２２とを含むフレーム３２５と、前記回転カム３１４とフレーム３２５とを各々のヒンジ３２４によって連結するリンク３２３から構成される昇降部３２とで構成された通常のコンテナカーのコンテナ移動用スケートを示した。
【０００７】
また、図５ｂには、取っ手パイプ３１２を作動して回転カム３１４を回転させると、昇降ローラー３２１が突出カム３１５の傾斜部３１５ａを通り平面部３１５ｂに至ることとなり、その高さの差によって、移動ローラー３２２が陥没溝１２上で移動することを示した。
【０００８】
しかし、高さの昇降幅が小さい場合、陥没溝１２に凹凸部が発生したり、異物質がある場合、その移動ローラー３２２による移動が困難になる。
【０００９】
また、高さの上昇幅は、回転カム３１４の回転軸３１６とリンク３２３のヒンジ３２４との距離と、前記回転軸３１４の回転角により左右されるが、回転軸３１６とヒンジ３２４との距離を広めるのは全体的な製品の大きさを大きくする方法であり、回転軸３１４の回転角は上部突出部３１１の内壁が取っ手パイプ３１２の回転を妨害し、構造上不可能であった。
【００１０】
また、前記突出部３１１はフォークリフトの刃と頻繁に衝突し、よく破損されたり、回転カム３１４の回転を妨害していた。
【００１１】
また、昇降ローラー３２１と移動ローラー３２２が装着されるフレーム３２５は、一つ以上のリンク体の結合から成っており、応力による結合部の破損が頻繁で、一旦破損された部分のメンテナンスが困難であるという問題点を有していた。
【００１２】
【発明が解決しようとする技術的課題】
本発明は、前記のような問題点を解決するために発明されたもので、その目的は、回転カムの回転角を大きくし、結果的にコンテナ移動用スケートを作動するとき、昇降される高さを大きくすることにある。
【００１３】
また、フォークリフトの刃に上部突出部が頻繁に衝突し、回転カムの運動を妨害したり、破損されることを防止することにある。
【００１４】
また、前記フレームを構成する一つ以上のリンク体の頻繁な破損を防止し、そのメンテナンスを容易にすることにある。
【００１５】
前記のような目的を達成するために、本発明は、前方が上部に突出されその上面が解放されており、前面は垂直板と、前記垂直板の上端で後方に折曲された水平板とを有する上部突出部が形成され、上板内部には傾斜部と平面部とを有する多数の突出カムが装着されるハウジングと、前記上部突出部の内部には取っ手パイプが挿入され、回転が可能な回転カムが装着される作動部と、突出カムに沿って移動する多数の昇降ローラーと、コンテナカーの底板を構成する陥没溝の下面に沿って移動する多数の移動ローラーとを含むフレームと、前記回転カムとフレームを各々のヒンジによって連結するリンクから構成される昇降部とで構成された通常のコンテナカーのコンテナ移動用スケートにおいて、
【００１６】
前記回転カムの上部の中央には、回転カムを回転させる回転軸が具備され、その後方に取っ手パイプが挿入される挿入ホールが形成され、前記突出カムの平面部には前記昇降ローラーが安着される安着溝部が形成され、前記フレームは多数の移動ローラーと昇降ローラーが固定される両側の単一壁板とで構成されることを特徴とするコンテナカーのコンテナ移動用スケートに関するものである。
【００１７】
【発明の構成】
そこで、本発明の構成を添付の図面によって、当業者が容易に理解し、再現できるように詳細に説明すると、次の通りである
【００１８】
図１は、本発明の一実施例を示した斜視図で、コンテナ移動用スケート３は、ハウジング３１と、前記ハウジング３１の前方には、上部に突出されその上面が解放されて回転カム３１４が装着される上部突出部３１１と、前記回転カム３１４の上面に形成された挿入ホール３１３に装着される取っ手パイプ３１２とで構成されることを示した。
【００１９】
また、前記ハウジング３１の前方の両側の角には、水平方向に回転する回転ローラー３１７が各々装着され、コンテナカーの陥没溝に前記コンテナ移動用スケート３が位置するとき、容易に陥没溝内でスライディングできるようにした。
【００２０】
図２は、本発明の一実施例による底面図を示した斜視図で、回転カム３１４が作動され、昇降部３２がハウジング３１から出た様子を示した。
【００２１】
また、前記昇降部３２は、突出カム３１５に沿って移動する多数の昇降ローラー３２１と、コンテナカーの底板を構成する陥没溝の下面に沿って移動する多数の移動ローラー３２２とを両側で固定する両側壁板３２６、そして前記回転カム３１４と壁板３２６を各々のヒンジ３２４によって連結するリンク３２３とで構成されることを示した。
【００２２】
また、従来のフレームは、多数からなったリンク体の結合から成っているが、本発明では、両側に単一から成る壁板３２６で構成し、製作が簡単で、故障の虞も減り、故障した時の交換叉は修理が簡便になる。
【００２３】
図３ａと３ｂは、本発明の原理を示した概念図で、作動部３３と昇降部３２の作動原理を示す。
【００２４】
つまり、前方が上部に突出されその上面が解放されており、前面は垂直板３１１ａと、前記垂直板３１１ａの上端で後方に折曲された水平板３１１ｂとを有する上部突出部３１１が形成され、上板内部には傾斜部３１５ａと平面部３１５ｂとを有する多数の突出カム３１５が装着されるハウジング３１と、前記上部突出部３１１内部には取っ手パイプ３１２が挿入され、回転が可能な回転カム３１４が装着される作動部３３と、突出カム３１５に沿って移動する多数の昇降ローラー３２１と、コンテナカー１の底板１１を構成する陥没溝１２の下面に沿って移動する多数の移動ローラー３２２とを含むフレーム３２５と、前記回転カム３１４とフレーム３２５とを各々のヒンジ３２４によって連結するリンク３２３から構成される昇降部３２とで構成された通常のコンテナカーのコンテナ移動用スケートにおいて、前記回転カム３１４の上部の中央には、回転カム３１４を回転させる回転軸３１６が具備され、その後方に取っ手パイプ３１２が挿入される挿入ホール３１３が形成され、前記突出カム３１５の平面部３１５ｂには前記昇降ローラー３２１が安着される安着溝部３１９が形成され、前記フレーム３２５は多数の移動ローラー３２２と昇降ローラー３２１が固定される両側の単一壁板３２６で構成されることを特徴とするコンテナカーのコンテナ移動用スケートを示した。
【００２５】
また、前記回転カム３１４の回転軸３１６と上面との距離Ｌ１は、回転軸３１６と挿入ホール３１３までの距離Ｌ２より相対的に小さくして、前記回転角３１４が回転する時、取っ手パイプ３１２が挿入される部分が上部突出部３１１の外に突出されて出るようにした。
【００２６】
従って、取っ手パイプ３１２の運動は、直角以上の角度で運動が可能であるため、従来のスケートと比較して回転角が大きくなる。
【００２７】
このような回転角の上昇は昇降ローラー３２１の移動距離を大きくし、結果的に作動による昇降高を大きくすることができるようになる。
【００２８】
また、前記上部突出部３１１の水平板３１１ｂの内側の端部には、前記回転カム３１４の回転軸３１６を中心にする円弧面３１８を有するようにし、前記回転カム３１４の前方の上側には、前記上部突出部３１１の水平板３１１ｂの下面と密着され、水平板３１１ｂの端部に形成された円弧面３１８に隣接する水平面と垂直面で構成された直角溝３１４ａが形成されており、前記回転カム３１４の前方には、前記上部突出部３１１の水平板３１５ｂの内側と密着される密着面３１４ｂを形成した。
【００２９】
このような構成は、フォークリフトの刃と衝突し前面が内側に押し込まれる場合、前記密着面３１４ｂはこれの緩衝の役割をするようにして、前記回転カム３１４の逆回転を防ぐために、水平板３１１ｂの下面と密着される直角溝３１４ａを形成したものである。
【００３０】
また、このようなフォークリフトの刃との衝突による損傷を最少化するために、前面部を厚く形成し衝突による変形を最少化することと、前記回転カム３１４の回転軸３１６は前記直角溝３１４ａより上部に位置するようにし、容易に回転するようにすることが好ましい実施例であるだろう。
【００３１】
また、前記突出カム３１５の傾斜部３１５ａの一側に形成された平面部３１５ｂには、前記昇降ローラー３２１が安着される安着溝部３１９を形成するようにし、作動時に前記昇降ローラー３２１の動きを減らすようにすることも、やはり好ましい実施例であるだろう。
【００３２】
【発明の効果】
上述したように、本発明は、回転カムの回転角を大きくし、結果的にコンテナ移動用スケートを作動するとき、昇降される高さを大きくし、陥没溝の凹凸や異物質にもコンテナを容易に移動させることができる効果がある。
【００３３】
また、フォークリフトの刃に上部突出部が頻繁に突出し、回転カムの運動を妨害したり、破損されることを防止し、耐久性を高める効果がある。
【００３４】
また、前記フレームを構成する一つ以上のリンク体の頻繁な破損を防止し、そのメンテナンスが容易になるようにして、堅固で修理が簡便になる効果がある。
【図面の簡単な説明】
【図１】本発明の一実施例を示した斜視図である。
【図２】本発明の一実施例による底面図を示した斜視図である。
【図３】（ａ）は、本発明の原理を示した概念図で、（ｂ）は、本発明の原理を示した概念図である。
【図４】コンテナ移動用スケートの使用状態図である。
【図５】（ａ）は、従来のコンテナ移動用スケートの原理を示した断面図で（ｂ）は、従来のコンテナ移動用スケートの原理を示した断面図である。
【符号の説明】
１  コンテナカー
１１  底板
１２  陥没溝
２  コンテナ
３  コンテナ移動用スケート
３１  ハウジング
３１１上部突出部
３１１ａ  垂直板
３１１ｂ  水平板
３１２  取っ手パイプ
３１３  挿入ホール
３１４  回転カム
３１４ａ  直角溝
３１４ｂ  密着面
３１５  突出カム
３１５ａ  傾斜部
３１５ｂ  平面部
３１６  回転軸
３１７  回転ローラー
３１８  円弧面
３１９  安着溝部
３２  昇降部
３２１  昇降ローラー
３２２  移動ローラー
３２３  リンク
３２４  ヒンジ
３２５  フレーム
３２６  壁板
３３  作動部
Ｌ１  回転軸と上面との距離
Ｌ２  回転軸と挿入ホールとの距離
【図１】
2004168219.tif 000003
【図２】
2004168219.tif 000004
【図３】
2004168219.tif 000005
【図４】
2004168219.tif 000006
【図５】
2004168219.tif 000007